(57)【要約】【課題】      盛土工事を作業性よく行うことができ、また盛土部全体の締め固めをしっかり行なうことででき、強固な盛土層を形成させることが可能な緩勾配法面盛土工法を提供する。【解決手段】  幅方向に直線的に連なった山高部を有する底面格子部と該底面格子型枠に対して鈍角に回動可能に連結された法面支持用格子部とからなる格子型枠を用いて、盛土時に、工事を妨げないように法面支持用格子部を移動させておき、盛土、締め固め後に法面支持用格子部を回動させて法面上に配置させる緩勾配法面盛土工法。【選択図】    図５
2005232697.tif 000002
【特許請求の範囲】
【請求項１】
盛土基礎上に、幅方向に直線的に連なった山高部を有する底面格子部と該底面格子型枠に対して鈍角に回動可能に連結された法面支持用格子部とからなる格子型枠を、その底面格子部及び法面支持用格子部が盛土基礎上に配置するように広げて載置する工程（１）、ジオグリッドをその端部が底面格子部の幅方向に直線的に連なった山高部に埋没するように敷設した後、その山高部に長尺連結棒を挿着することによってジオグリッドと底面格子部を連結する工程（２）、盛土基礎、底面格子部及びジオグリッド上に盛土して緩勾配法面の盛土層を形成する工程（３）、緩勾配法面部及び盛土上部を転圧した後、法面支持用格子部を回動させて該緩勾配法面部上に配置する工程（４）からなる緩勾配法面盛土工法。
【請求項２】
法面を有する盛土基礎上に、幅方向に直線的に連なった山高部を有する底面格子部と該底面格子型枠に対して鈍角に回動可能に連結された法面支持用格子部とからなる格子型枠を、その底面格子部が盛土基礎上部に、また法面支持用格子部が法面上に配置するように載置する工程（１）、ジオグリッドをその端部が底面格子部の幅方向に直線的に連なった山高部に埋没するように敷設した後、その山高部に長尺連結棒を挿着することによってジオグリッドと底面格子部を連結する工程（２）、盛土基礎、底面格子部及びジオグリッド上に盛土して緩勾配法面の盛土層を形成する工程（３）、緩勾配法面部及び盛土上部を転圧した後、法面支持用格子部を回動させて緩勾配法面部上に配置する工程（４）からなる緩勾配法面盛土工法。
【請求項３】
格子型枠として、法面支持用格子部頂部にフック部を有する格子型枠（Ａ）を用いて請求項１又は２記載の工程（１）〜（４）により形成した緩勾配法面を有する盛土の上部に、幅方向に直線的に連なった山高部を有する底面格子部と該底面格子型枠に対して鈍角に回動可能に連結された法面支持用格子部とからなる別の格子型枠（Ｂ）を、格子型枠（Ａ）の頂部フック部を格子型枠（Ｂ）の底面格子部端部から突出させるように、また格子型枠（Ｂ）の法面支持用格子部を緩勾配法面上に配置された格子型枠（Ａ）の法面支持用格子部の上に重ねるように配置させて載置する工程（５）、ジオグリッドをその端部が格子型枠（Ｂ）の底面格子部の幅方向に直線的に連なった山高部に埋没するように敷設した後、その山高部に長尺連結棒を挿着することによってジオグリッドと底面格子部を連結する工程（６）、上記盛土、底面格子部及びジオグリッドの上に盛土して緩勾配法面の盛土層を形成する工程（７）、緩勾配法面部及び盛土上部を転圧した後、格子型枠（Ｂ）の法面支持用格子部を回動させて新たに形成した緩勾配法面部上に配置する工程（８）からなる緩勾配法面盛土工法。
【請求項４】
幅方向に直線的に連なった山高部を有する底面格子部と、頂部にフック部を有し、該底面格子型枠に対して鈍角に回動可能に連結された法面支持用格子部とからなる緩勾配法面盛土用格子型枠。
【発明の詳細な説明】
【技術分野】
【０００１】
本発明は、緩勾配法面の盛土を作業性よく行なう工法およびそれに用いられる格子型枠に関する。
【背景技術】
【０００２】
溶接金網やエクスパンドメタルなどからなる略Ｌ字状の格子型枠は、盛土工事において広く用いられている。盛土工事に際してこのような格子型枠は、工事現場である地山等の法面前面に載置され、格子型枠と地山等の間に盛土したのち、盛土上部を転圧して締め固めるという操作を下から上に順次繰り返すことによって多段の盛土構造を形成するものである。この工法では多くの場合、盛土部にジオグリッドを敷設することによって補強を図っている。
【０００３】
このような工法では、盛土後の転圧は上面側に限定されるため、緩勾配法面の盛土には適していない。すなわち急勾配法面の盛土では、上面側からの転圧により盛土層のほぼ全面に渡って締め固め効果を発揮させることができるが、緩勾配法面の盛土においては上面側からの転圧のみでは、法面部下部の盛土層には締め固め効果を期待することができない。そのため出願人は先に、盛土部にジオグリッドを敷設することによって盛土部を補強すると共に、盛土部上部と法面部を転圧して締め固めた後、法面部に別のジオグリッドを貼りつけ、先に敷設したジオグリッドと連結する工法を提案した。
【発明の開示】
【発明が解決しようとする課題】
【０００４】
本発明は先の提案と同様に、緩勾配法面の盛土に関する工法であって、盛土工事を作業性よく行なうことができると共に、法面部を含む盛土部全体の締め固めをしっかり行なうことができ、より一層強固な盛土層を形成することが可能な盛土工法およびそれに使用される格子型枠を提供するものである。
【課題を解決するための手段】
【０００５】
すなわち本発明によれば、盛土基礎上に、幅方向に直線的に連なった山高部を有する底面格子部と該底面格子型枠に対して鈍角に回動可能に連結された法面支持用格子部とからなる格子型枠を、その底面格子部及び法面支持用格子部が盛土基礎上に配置するように広げて載置する工程（１）、ジオグリッドをその端部が底面格子部の幅方向に直線的に連なった山高部に埋没するように敷設した後、その山高部に長尺連結棒を挿着することによってジオグリッドと底面格子部を連結する工程（２）、盛土基礎、底面格子部及びジオグリッド上に盛土して緩勾配法面の盛土層を形成する工程（３）、緩勾配法面部及び盛土上部を転圧した後、法面支持用格子部を回動させて該緩勾配法面部上に配置する工程（４）からなる緩勾配法面盛土工法が提供される。
【０００６】
本発明によればまた、法面を有する盛土基礎上に、幅方向に直線的に連なった山高部を有する底面格子部と該底面格子型枠に対して鈍角に回動可能に連結された法面支持用格子部とからなる格子型枠を、その底面格子部が盛土基礎上部に、また法面支持用格子部が法面上に配置するように載置する工程（１）、ジオグリッドをその端部が底面格子部の幅方向に直線的に連なった山高部に埋没するように敷設した後、その山高部に長尺連結棒を挿着することによってジオグリッドと底面格子部を連結する工程（２）、盛土基礎、底面格子部及びジオグリッド上に盛土して緩勾配法面の盛土層を形成する工程（３）、緩勾配法面部及び盛土上部を転圧した後、法面支持用格子部を回動させて緩勾配法面部上に配置する工程（４）からなる緩勾配法面盛土工法が提供される。
【０００７】
さらに本発明によれば、格子型枠として、法面支持用格子部頂部にフック部を有する格子型枠（Ａ）を用いて、上述の２工法における工程（１）〜（４）により形成した緩勾配法面を有する盛土の上部に、幅方向に直線的に連なった山高部を有する底面格子部と該底面格子型枠に対して鈍角に回動可能に連結された法面支持用格子部とからなる別の格子型枠（Ｂ）を、格子型枠（Ａ）の頂部フック部を格子型枠（Ｂ）の底面格子部端部から突出させるように、また格子型枠（Ｂ）の法面支持用格子部を緩勾配法面上に配置された格子型枠（Ａ）の法面支持用格子部の上に重ねるように配置させて載置する工程（５）、ジオグリッドをその端部が格子型枠（Ｂ）の底面格子部の幅方向に直線的に連なった山高部に埋没するように敷設した後、その山高部に長尺連結棒を挿着することによってジオグリッドと底面格子部を連結する工程（６）、上記盛土、底面格子部及びジオグリッドの上に盛土して緩勾配法面の盛土層を形成する工程（７）、緩勾配法面部及び盛土上部を転圧した後、格子型枠（Ｂ）の法面支持用格子部を回動させて新たに形成した緩勾配法面部上に配置する工程（８）からなる緩勾配法面盛土工法が提供される。
【０００８】
さらに本発明によれば、幅方向に直線的に連なった山高部を有する底面格子部と、頂部にフック部を有し、該底面格子型枠に対して鈍角に回動可能に連結された法面支持用格子部とからなる緩勾配法面盛土用格子型枠が提供される。
【発明の効果】
【０００９】
本発明によれば、緩勾配法面の盛土工事において、盛土及び締め固めを作業性よく行うことができ、また耐久性に優れた法面を形成させることができる。
【発明を実施するための最良の形態】
【００１０】
以下、本発明を図面によって説明する。図１は、本発明の盛土工事に使用される緩勾配法面盛土用格子型枠１を示す斜視図、図２はその側面図である。図１及び図２において、格子型枠１は、幅方向に直線的に連なった山高部４を有する溶接金網製の底面格子部２と、頂部にフック部５を有する溶接金網製の法面支持用格子部３とからなっており、両者は端部同士がリング６により回動可能に連結されている。底面格子部２の山高部４は、盛土補強の目的で使用されるジオグリッドの端部と重ね合わされる部分であって、ジオグリッドの網目がこの山高部に挿通されるように敷設された後、そこに長尺連結棒を挿着することによって底面格子部とジオグリッドの連結を図るものであり、長尺連結棒の挿着空間を有している限り、山形状はいかなるものでもよい。また法面支持用格子部３の頂部に設けられたフック部５は、法面を多段に形成する場合において、上部型枠の連結に使用される部位であって、該フック部が上部型枠底面格子部の端部格子間より突出するように上部型枠を載置することにより、フック部の引っ掛かり効果により上下方向の移動を規制しつつ連結する効果を有するものである。したがってフック部の形状は、引っ掛かりに有効な程度の適当な曲がり部を備えている限り、その形状はいかなるものでもよい。また最上段の盛土層には、連結端であるこのようなフック部を有しない格子型枠を使用してもよい。さらに底面格子部１と法面支持用格子部２を連結するリング６は、両者を鈍角に回動可能とするものであって、盛土時において盛土及び法面の転圧を妨げることないように法面支持部２を盛土基礎上に広げて配置されるか、あるいは盛土基礎が法面を有する場合には、その法面上に配置しておき、盛土転圧後に新たに形成された法面上に配置することによって、その補強を図るものである。したがってリング６の代わりに、鈍角に回動可能とするものであれば、コイルや蝶番を使用することもできる。
【００１１】
図３〜５は、本発明の盛土工法の概略を示す図面である。図３において、地山８の前面の盛土基礎７上に格子型枠１の底面格子部２を載置し、また盛土基礎７の緩勾配法面１１上に、リング６を中心として格子型枠１の法面支持格子部３を回動させて載置する。盛土基礎が法面を有するものではなく平面状のものであれば、法面支持用格子部３は盛土基礎上に載置される。底面格子部２の山高部４に網目を挿通されるようにジオグリッド９をその端部が底面格子部２と重ね合わされるように盛土基礎７上に敷設する。ジオグリッド９を押さえつけるように山高部４に長尺連結棒１２を挿着して、底面格子部２にジオグリッド９を連結させる。ジオグリッドの他端は、アンカーボルト（図示しない）により盛土基礎上に固定されている。地山８の前方の底面格子部、ジオグリッド及び盛土基礎上に盛土１０を施していく。緩勾配法面３１を形成するように所定高さに盛土した後に、盛土１０の上面及び法面部を転圧して充分締め固める。次いで法面支持部３を回動させて法面３１上に配置し１段目の盛土工事が完了する（図４）。緩勾配法面３１の傾斜角は、４５〜１０度程度が適当である。
【００１２】
２段目の盛土工事は、格子型枠１と同じ格子型枠２１を、その底面格子部２２がその端部格子間から格子型枠１のフック部５が突出するように載置する以外は、１段目の盛土工事と同様に行なわれる。すなわち図５において、地山８の前面の盛土１０の上部に、格子型枠２１の底面格子部２２をその端部格子間から格子型枠１のフック部５が突出するように載置し、また盛土１０の緩勾配法面３１上にある格子型枠１の法面支持用格子部３上に、リング２６を中心として格子型枠２１の法面支持格子部２３を回動させて載置する。底面格子部２２の山高部２４に網目を挿通されるようにジオグリッド２９をその端部が底面格子部２２と重ね合わされるように盛土１０上に敷設する。ジオグリッド２９を押さえつけるように山高部２４に長尺連結棒３２を挿着して、底面格子部２２にジオグリッド２９を連結させる。ジオグリッド２９の他端は、アンカーボルト（図示しない）により盛土基礎上に固定されている。地山８の前方の底面格子部２２、ジオグリッド２９及び盛土１０上に盛土３０を施していく。緩勾配法面を形成するように所定高さに盛土した後に、盛土３０の上面及び法面部を転圧して充分締め固める。次いで法面支持部２３を回動させて新たに形成させた法面上に配置し２段目の盛土工事が完了する。
【００１３】
このような操作を繰り返すことによって、多段の盛土構造を構築することができる。最上段の盛土部に使用される格子型枠としては、法面支持部の頂部にフック部を有しないものを使用してもよい。
【図面の簡単な説明】
【００１４】
【図１】本発明の格子型枠の斜視図である。
【図２】本発明の格子型枠の側面図である。
【図３】本発明の盛土工法を示す図面である。
【図４】本発明の盛土工法を示す図面である。
【図５】本発明の盛土工法を示す図面である。
【符号の説明】
【００１５】
１      格子型枠
２      底面格子部
３      法面支持用格子部
４      山高部
５      フック部
６      リング
７      盛土基礎
８      地山
９      ジオグリッド
１１    法面
１２    長尺連結棒
２１    格子型枠
２２    底面格子部
２３    法面支持用格子部
２４    山高部
２５    フック部
２６    リング
２７    盛土基礎
２９    ジオグリッド
３０    盛土
３１    法面
３２    長尺連結棒
【図１】
2005232697.tif 000003
【図２】
2005232697.tif 000004
【図３】
2005232697.tif 000005
【図４】
2005232697.tif 000006
【図５】
2005232697.tif 000007